(57)【特許請求の範囲】
【請求項１】
カップ本体(2)とフランジ体(11)の２つの部材を有し、前記カップ本体(2)は有底筒状で筒状の側周壁(3)の下端部に底部(6)を連設した部材であり、前記フランジ体(11)は筒状の嵌合筒片(12)の上端に外鍔状にフランジ(16)を周設し、該フランジ(16)の下面に、該フランジ(16)の基端部から外周縁方向に向けてガス抜き溝(16g)を形成した部材であり、前記フランジ体(11)の上端開口部が、シールフィルム(19)の周縁部を前記フランジ(16)の上端面に接着するようにして、前記シールフィルム(19)でシールされ、前記嵌合筒片(12)を側周壁(3)の上端部に液密状に嵌入組付けして前記フランジ体(11)を着脱可能に前記カップ本体(2)の上端部に装着したことを特徴とする合成樹脂製カップ容器。
【請求項２】
側周壁(3)の上端内周面に周突条を周設し、嵌合筒片(12)の上端外周面に周溝を周設し、該周突条と周溝の嵌合により前記側周壁(3)の上端部への
嵌合筒片(12)の液密状の嵌入組付けを達成する構成とした請求項１記載の合成樹脂製カップ容器。
【請求項３】
側周壁(3)の上端部内周面に周突条を周設し、嵌合筒片(12)の外周面に周溝を周設し、前記周突条と周溝の嵌合により、係止機能が発揮される構成とした請求項１記載の合成樹脂製カップ容器。
【請求項４】
側周壁(3)の上端部と嵌合筒片(12)を螺合する構成とした請求項１、２または３記載の合成樹脂製カップ容器。
【請求項５】
フランジ(16)に滑り止めのための凹凸模様を配設した請求項４記載の合成樹脂製カップ容器。
【発明の詳細な説明】
【技術分野】
【０００１】
本発明は合成樹脂製カップ容器に関するものである。
【背景技術】
【０００２】
カップ容器は、簡易な使い捨て容器として、コーヒー、ジュース、ヨーグルト等の飲食物用を初め、多くの用途で使用されている。（たとえば特許文献１参照）
図７は従来のカップ容器の代表的な例を示す半縦断正面図である。
このカップ容器１０１は全体として有底筒状の形状を有し、円筒状の側周壁１０３の下端に底部１０６を連接し、側周壁１０３の上端から外鍔状にフランジ１１６を周設した形状である。
【０００３】
この種のカップ容器は通常、コーヒー等の内容液を充填した後、図7中に示したようにシールフィルム１１９の周縁部をフランジ１１６の上端面に接着するようにして、上端開口部をシールして使用される。
そして、シールフィルム１１９を剥がしてから開口部から直接、あるいはストローをシールフィルム１１９に突き刺すようにして内容液を飲むようにする。
また、この種の内容液を充填したカップ容器製品は、上記のように上端開口部をシールした状態で加温器や電子レンジで内容液を加熱した状態で販売したり、あるいは利用者自身が加熱して飲用に供することがある。
【先行技術文献】
【特許文献】
【０００４】
【特許文献１】特開２０１０−１９５４４０号公報
【発明の概要】
【発明が解決しようとする課題】
【０００５】
ここで、上記したように、内容液を充填したカップ容器製品を、上端開口部をシールした状態で加温器や電子レンジで内容液を加熱すると、容器の内部が加圧状態となり、飲用に供するにあたってシールフィルムを剥がした際、あるいはストローをシールフィルムに突き刺した際に内容液が噴出すると云うような安全上の問題がある。
また、容器が膨張状に変形するため、利用者に不安な感じを与え、カップ容器製品としての商品性が低下する、と云う問題もある。
【０００６】
そこで本発明は、上端開口部をシールした状態で加温器や電子レンジで内容液を加熱して供するカップ状容器において、加熱による容器内部の圧力の上昇を抑制することを技術的課題とするものである。
【課題を解決するための手段】
【０００７】
上記課題を解決するための本発明の主たる構成は、合成樹脂製カップ容器において、
カップ本体とフランジ体の２つの部材を有し、
カップ本体は有底筒状で筒状の側周壁の下端部に底部を連設した部材であり、
フランジ体は、筒状の嵌合筒片の上端に外鍔状にフランジを周設し、フランジの下面に基端部から外周縁方向に向けてガス抜き溝を形成した部材であり、フランジ体の上端開口部が、シールフィルムの周縁部をフランジの上端面に接着するようにして、シールフィルムでシールされ、
嵌合筒片を側周壁の上端部に液密状に嵌入組付けしてフランジ体を着脱可能にカップ本体の上端部に装着したことを特徴とする、と云うものである。
【０００８】
上記構成のカップ容器は、一般的に内容液を充填しフランジ体の上端開口部をシールフィルムでシールしたカップ容器製品として販売されるが、
上記構成により、加温器や電子レンジで内容液を加熱した際に容器内部の圧力が上昇した際には、カップ本体の側周壁が膨張し、この膨張によりこの側周壁の上端部に嵌入するフランジ体の嵌合筒片と側周壁の間に隙間が形成され、この隙間とフランジの下面に基端部から外周縁方向に向けて形成されるガス抜き溝を介して、容器内部のガスを逃すことができ、容器内部の圧力の上昇を効果的に抑制することが可能となる。
【０００９】
また、上記構成のカップ容器で、カップ本体のフランジは従来のカップ容器のフランジと同様に、シールのための部位、上端開口部の変形を抑制する機能を発揮する部位、内容物の充填装置内のカップ容器を供給する装置においてカップ容器の姿勢を支持する支持爪片を当接させるのに利用する部位、さらには充填装置内での搬送用のリテーナーに保持するのに利用する部位としての機能を発揮する。
そして、飲用に供する際には、フランジ体を取外してカップ本体の側周壁の上端開口部から内容液を飲むことができ、フランジに起因する飲み難くさや、違和感がなく、内容液をスムーズに飲むことができる。
【００１０】
また、コーヒー等の内容液を充填したカップ容器製品では上記のようにシールフィルムでフランジ体の上端開口部をシールして使用されるが、
フランジ体を取外して内容液の一部を飲んだ後にも、シールフィルムで上端開口部をシールされたフランジ体を再びカップ本体に装着することにより、残りの内容液が入ったカップ容器を安心して保管、さらには持ち運びすることが可能となる。
なお、内容液を充填した上記構成のカップ容器製品では、フランジ体の上端開口部を覆うシールフィルムの周縁部からカップ本体の側周壁に懸けての範囲をシュリンクフィルムで外装し、より安全な状態で販売することが好ましい。
【００１１】
本発明のさらに他の構成は上記主たる構成において、側周壁の上端内周面に周突条を周設し、嵌合筒片の上端外周面に周溝を周設し、これら周突条と周溝の嵌合により側周壁の上端部への嵌合筒片の液密状の嵌入組付けを達成する構成とする、と云うものである。
【００１２】
上記構成は、嵌合筒片と側周壁の液密状のシール方式の一例である。
嵌合筒片と側周壁の液密状のシール、すなわちカップ本体とフランジ体の液密状の嵌合組付けは、基本的には嵌合筒片の外周面を側周壁の内周面に密着状に内接させることにより達成することが可能であるが、
上記構成により、周溝に周突条を嵌入状に嵌合させることにより、より確実に液密状のシール機能を併せて発揮させることもできる。
【００１３】
本発明のさらに他の構成は上記主たる構成において、
側周壁の上端部内周面に周突条を周設し、嵌合筒片の外周面に周溝を周設し、これら周突条と周溝の嵌合により、係止機能が発揮される構成とする、と云うものである。
【００１４】
上記構成は、カップ容器の供給装置等におけるフランジに上方に作用する力によるフランジ体の抜け出しを防止するための係止機能に係るものである。
また、カップ本体の上端部内周面に形成する周突条により、周リブとしての作用効果が発揮され、フランジ本体を取外した後でも、カップ本体の上端開口部の変形を抑制することが可能となる。
なお、周突条と周溝の嵌合によれば、上記した係止機能を発揮させると共に、前述したシール機能を発揮させることが可能である。
【００１５】
本発明のさらに他の構成は上記主たる構成において、側周壁の上端部と嵌合筒片を螺合組付けする構成とする、と云うものである。
【００１６】
上記構成によれば、螺合組付け機構を利用してフランジ体をより強固にカップ本体に装着することにより、フランジに上方に作用する力によるフランジ体の抜け出しを防止するための係止機能をより高度に発揮させると共に、この強固に装着されたフランジ体を螺脱操作により容易に取外すことが可能となる。
なお、上記構成では螺合や螺脱操作が容易にできるように、フランジに滑り止めのためのローレット等の凹凸模様を配設することが好ましい。
【発明の効果】
【００１７】
本発明の合成樹脂製カップ容器は上記した構成となっているので、以下に示す効果を奏する。
すなわち、本発明の主たる構成を有するカップ容器にあっては、カップ容器をカップ本体と上端開口部をシールフィルムでシールしたフランジ体の２つの部材により構成し、またフランジ体のフランジの下面にガス抜き溝を形成することにより、
加温器や電子レンジで内容液を加熱した場合、密閉された容器内部の圧力が上昇した際にも、容器本体の側周壁が膨張し、この膨張によりこの側周壁の上端部に嵌入するフランジ体の嵌合筒片と側周壁の間に隙間が形成され、この隙間とフランジの下面に基端部から外周縁方向に向けて形成されるガス抜き溝を介して、容器内部のガスを逃して容器内部の圧力の上昇を効果的に抑制することができ、
内容液を加熱して販売あるいは使用する用途に向けて、安全に、また安心して使用できるカップ容器を提供することができる。
【００１８】
また、飲用に供する際にはフランジ体を取外してカップ本体の側周壁の上端開口部から内容液を飲むことができ、フランジに起因する飲み難くさや、違和感がなくスムーズに内容液を飲むことができる。
【図面の簡単な説明】
【００１９】
【図１】本発明のカップ容器の一実施例を斜め下方からみた斜視図である。
【図２】図１のカップ容器において、フランジ体をカップ本体から取外した状態をみた斜視図である。
【図３】（ａ）は図１のカップ容器の上端部を一部縦断し、要部拡大した状態をみた斜視図、（ｂ）は容器内部が加圧状態になった際の状態を（ａ）と同様に示す斜視図である。
【図４】図２中のフランジ体について要部拡大し、斜め下方からみた斜視図である。
【図５】図１のカップ容器の半縦断正面図である。
【図６】本発明のカップ容器のカップ本体とフランジ体の嵌合態様の他の例を、図３（ａ）と同様の状態でみた斜視図である。
【図７】カップ容器の従来例の半縦断正面図である。
【発明を実施するための形態】
【００２０】
以下、本発明の実施形態を実施例に沿って図面を参照しながら説明する。
図１〜図５は本発明の合成樹脂製カップ容器の一実施例を説明するためのものであり、図１は斜視図、図２はフランジ体１１をカップ本体２から取外した状態を示す斜視図、図３は上端部を一部縦断し、要部拡大してみた斜視図、図４は図２中のフランジ体の斜視図、そして図５は半縦断正面図である。
なお、図３と図５ではシールフィルム１９の周縁部をフランジ体１１のフランジ１６の上端面に接着するようにして、このシールフィルム１９でフランジ体１１の上端開口部をシールした状態を示している。
【００２１】
本実施例のカップ容器１は、ポリプロピレン（ＰＰ）樹脂製で下方に向かって緩やかに縮径する円筒状の側周壁３を有し下端部に底部６を連設した部材であるカップ本体２と、低密度ポリエチレン（ＬＤＰＥ）樹脂製で下方に向かって緩やかに縮径する円筒状の嵌合筒片１２の上端に外鍔状にフランジ１６を周設すると共に、後述するシールフィルムにより上端開口部をシールした部材であるフランジ体１１の二つの部材から構成されている。
そして、フランジ１６の下面には、このフランジ１６の基端部から外周縁方向に向けて、ガス抜き溝１６ｇが刻設状に形成されている。
【００２２】
図３（ａ）に詳細に示されているように、カップ本体２の側周壁３の上端には内周面と外周面に一対の周突条４、４ａが、またこの周突条４、４ａの少し下にも一対の周突条５、５ａが周設されている。
また、フランジ体１１の嵌合筒片１２の外周面の、上記した側周壁３の内周面に形成される周突条４と周突条５に対向する高さ位置に、それぞれ周溝１４と周溝１５が周設されている。
【００２３】
そして、図３あるいは図５に示されるように周突条４、５が周溝１４、１５に嵌入状に嵌合した状態でカップ本体２の側周壁３の上端部にフランジ体１１が嵌入状に組付き固定されている。
この周突条４、５と周溝１４、１５の嵌合により、カップ容器１の供給装置等におけるフランジ１６に上方に作用する力によるフランジ体１１のカップ本体２からの抜け出しを防止するための係止機能が発揮される。
【００２４】
ここで、この周突条４、５と周溝１４、１５の嵌合を利用した係止機能は、
上記した供給装置等において作用する力によるフランジ体１１の抜け出しを防止する程度に強固に、一方で使用に際してフランジ体１１を着脱して使用することを想定すると、手により容易にフランジ体１１が着脱できる程度に緩やかに調整しておく必要があるが、
このような係止機能の強弱は、周突条や周溝の断面形状や配設本数あるいは配設位置により調整することができる。
【００２５】
勿論、係止機能は上記のように周突条と周溝の組み合せに限定されるものではなく、供給装置等における力の作用する方向と、手によるフランジ体の着脱における力の作用する方向との差異も考慮しながら、たとえば突条と突条を組み合せて乗越え係止部とする等、さまざまな係止機構を採用することができる。
因みに、供給装置等ではフランジ１６を介してフランジ体１１を単純に上方に引き抜くような力が作用するのに対して、手によるフランジ体１１の取外し操作ではフランジ体１１を回動させながら、あるいは抉りながら力を作用させるので、この力の作用の差異を考慮して係止機能を構成することにより、フランジ体１１の供給装置等における耐引抜性と、使用時におけるフランジ体１１の易着脱性とを両立させることができる。
【００２６】
次に、本実施例のカップ容器１では、上記した側周壁３の上端内周面に周設される周突条４と、嵌合筒片１２の上端外周面に周設される周溝１４の嵌合を利用して、側周壁３の上端部への嵌合筒片１２の液密状の嵌入組付け、すなわちカップ本体２とフランジ体１１の液密状のシールを達成する構成としている。
【００２７】
ここで、図３（ｂ）は、本実施例のカップ本体２とフランジ体１１の二つの部材からなるカップ容器１にコーヒー等の内容液を充填後、図５に示されるようにフランジ体１１の上端開口部をシールフィルム１９でシールしたカップ容器製品を用意し、加熱器で内容液を加熱し、容器内部が加圧状態になった際の状態を図３（ａ）と同様に示す斜視図である。
【００２８】
この図３（ｂ）に示すように、内圧の上昇によりカップ本体２の側周壁３が膨張し、この膨張によりこの側周壁３の上端部に嵌入するフランジ体１１の嵌合筒片１２と側周壁３の間、また周突条４と周溝１４の間に隙間Ｓが形成され、図３（ｂ）中、二点鎖線の矢印で示されるように、この隙間Ｓとフランジ１６の下面に形成されるガス抜き溝１６ｇを介して、容器内部のガスを逃すことができ、容器内部の圧力の上昇を効果的に抑制することができる。
なお、本実施例ではガス抜き溝１６ｇを１箇所に形成する構成としたが、このガス抜き溝１６ｇの溝の断面形状や形成個数等は適宜選択できるものである。
また、ガス抜き性を考慮し、必要に応じてこのガス抜き溝１６ｇをフランジ１６の基端部から嵌合筒片１２の外周面上端部にまで延設することもできる。
【００２９】
次に、飲用時におけるフランジ体１１の着脱操作に関連して説明する。
飲用に供する際には、手により抉るようにして図２に示されるようにフランジ体１１を取外し、フランジ１６のないカップ本体２の側周壁３の上端開口部から、フランジに起因する飲み難くさや、違和感もなくスムーズに内容液を飲むことができる。
【００３０】
また、カップ本体２の側周壁３の外周面には、前述した内周面に配設された周突条４と周突条５に対向する位置にそれぞれ周突条４ａ、周突条５ａが配設されており、これら周突条４、４ａと周突条５、５ａにより周リブ的な作用効果が発揮され、飲用に供する際に、図２に示されるようにフランジ体１１を取外した際にもカップ本体２の上端開口部の変形を抑制することができ、カップ本体２を安定した姿勢で掴持したりすることができる。
【００３１】
また、フランジ体１１を取外して内容液の一部を飲んだ後にも、シールフィルム１９で上端開口部をシールされたフランジ体１１を再びカップ本体２の上端部に装着することにより、残りの内容液が入ったカップ容器１を安心して保管、さらには持ち運びすることができる。
【００３２】
次に、図６はカップ本体２とフランジ体１１の嵌合態様の他の例、カップ本体２とフランジ体１１を螺合により嵌合組付けする例を示すものであり、図３（ａ）と同様にカップ容器１の上端部を一部縦断し、要部拡大した状態をみた斜視図であり、嵌合態様係る構成、及びフランジ１６の側周壁に凹凸模様１８の一つであるローレットを形成した点を除く他の構成は図１〜５に示すカップ容器と同様である。
【００３３】
カップ本体２の側周壁３の内周面には螺条７が配設されている。また側周壁３の上端には内周面と外周面とに一対の周突条４、４ａが、外周面の螺条７より下の位置には周突条５ａが周設されている。
また、フランジ体１１には、上記螺条７に螺合する螺溝１７と、上記周突条４と嵌合する周溝１４が配設されている。
そして、これら螺条７と螺溝１７の螺合によりカップ本体２の上端部にフランジ体１１を強固に引抜け不能に組付けることができると共に、強固に組付けされたフランジ体１１を螺脱操作により容易に取外すことができる。
また、上記した螺合や螺脱操作が容易にできるようにフランジ１６の側周面には滑り止めのための凹凸模様１８の一例であるローレットを形成するようにしている。
また、このようにカップ本体２とフランジ体１１を螺合により嵌合組付けする場合でも容器内部が加圧状態になると、螺条７と螺溝１７の隙間、側周壁３の膨張に伴って周突条４と周溝１４の間に形成される隙間Ｓ、そしてガス抜き溝１６ｇを介して容器内部のガスを逃すことができる。
【００３４】
以上、実施例に沿って本願発明の実施形態とその作用効果について説明したが、本願発明はこの実施例に限定されるものではない。
上記実施例ではカップ本体２をＰＰ樹脂製、フランジ体１１をＬＤＰＥ樹脂製としたが、勿論、カップ本体２とフランジ体１１のシール性や、シールフィルム１９のシール性、容器としての剛性等を考慮してポリスチレン樹脂、ポリエチレンテレフタレート（ＰＥＴ）樹脂等、他の合成樹脂製とすることができる。
【００３５】
また、側周壁３と嵌合筒片１２の液密状のシール方式や、カップ本体２とフランジ体１１の嵌合方式についても特に限定されることなく、フランジ体１１の耐引抜性や着脱のし易さ等も考慮して、さまざまなシール方式や嵌合方式の中から適宜選択することができるものである。
【産業上の利用可能性】
【００３６】
以上説明したように、本発明のカップ容器はカップ本体とフランジ体の二つの部材により構成し、フランジにガス抜き溝を形成したことにより、容器内部の圧力の上昇を効果的に抑制して、安全にまた安心して使用できるものであり、内容液を加熱して使用に供する用途での幅広い利用展開が期待できる。
【符号の説明】
【００３７】
１  ；カップ容器
２  ；カップ本体
３  ；側周壁
４、５；周突条
４ａ、５ａ；周突条
６  ；底部
７  ；螺条
１１；フランジ体
１２；嵌合筒片
１４、１５；周溝
１６；フランジ
１６ｇ；ガス抜き溝
１７；螺溝
１８；凹凸模様（ローレット）
１９；シールフィルム
Ｓ  ；隙間
１０１；カップ容器
１０３；側周壁
１０６；底部
１１６；フランジ
１１９；シールフィルム
【図１】
0005843193.tif 000002
【図２】
0005843193.tif 000003
【図３】
0005843193.tif 000004
【図４】
0005843193.tif 000005
【図５】
0005843193.tif 000006
【図６】
0005843193.tif 000007
【図７】
0005843193.tif 000008